(57)【要約】      （修正有）【課題】術者の多様なニーズや診療態様に応じた適正な重量設定等が任意になし得る医療用インスツルメントホース用錘及びこれを用いた医療用インスツルメント装置を提供する。【解決手段】インスツルメントホルダを備えた医療用ユニットから導出され、先端に医療用インスツルメントが接続されると共に該インスツルメントの作用媒体用管路６ａ〜６ｅが内装されたインスツルメントホース６に対し、上記インスツルメント５が上記インスツルメントホルダ７に保持された状態でホースの途中部分が下方に垂れ下がるよう重力を付与する為に装着される錘８であって、開環若しくは開環可能なリング状重量部材８０からなり、上記インスツルメントホース６に対し、その側部より開環部分８０ａをして着脱自在に嵌装されるものであることを特徴とする。【選択図】図３
2007296010.tif 000002
【特許請求の範囲】
【請求項１】
インスツルメントホルダを備えた医療用ユニットから導出され、先端に医療用インスツルメントが接続されると共に該インスツルメントの作用媒体用管路が内装されたインスツルメントホースに対し、上記インスツルメントが上記インスツルメントホルダに保持された状態でホースの途中部分が下方に垂れ下がるよう重力を付与する為に装着される錘であって、
開環若しくは開環可能なリング状重量部材からなり、上記インスツルメントホースに対し、その側部より開環部分をして着脱自在に嵌装されるものであることを特徴とする医療用インスツルメントホース用錘。
【請求項２】
請求項１に記載の医療用インスツルメントホース用錘において、
前記リング状重量部材の内径がインスツルメントホースの外径より大とされ、前記嵌装状態ではインスツルメントホースに対し、自重によって摺接移動可能とされていることを特徴とする医療用インスツルメントホース用錘。
【請求項３】
請求項２に記載の医療用インスツルメントホース用錘において、
前記リング状重量部材をインスツルメントホースの任意の位置に係留保持する為の保持手段を更に備えていることを特徴とする医療用インスツルメントホース用錘。
【請求項４】
請求項３に記載の医療用インスツルメントホース用錘において、
前記保持手段が、前記リング状重量部材とは別部材の弾性リング部材からなり、該弾性リング部材は、その内径がインスツルメントホースの外径よりやや小で且つ外径がリング状重量部材の内径よりやや大とされ、インスツルメントホースの長手方向に沿った任意の位置にその弾性変形をして係止可能とされ、上記リング状重量部材は、この保持手段による規制がない状態ではインスツルメントホースに対し自重で前記摺接移動が可能とされていることを特徴とする医療用インスツルメントホース用錘。
【請求項５】
請求項３に記載の医療用インスツルメントホース用錘において、
前記保持手段が、前記リング状重量部材の内周部分に一体に装着された高摩擦性の弾性部材からなり、上記リング状重量部材が、この弾性部材の弾性変形をしてインスツルメントホースの任意の位置に嵌装保持され、弾性部材の弾力に抗したリング状重量部材の手指操作によって前記摺接移動が可能とされていることを特徴とする医療用インスツルメントホース用錘。
【請求項６】
請求項１に記載の医療用インスツルメントホース用錘において、
前記リング状重量部材が、手指操作で変形可能な材料で構成されていることを特徴とする医療用インスツルメントホース用錘。
【請求項７】
一側部にインスツルメントホルダを有する医療用ユニットと、該医療用ユニットから導出され、先端に医療用インスツルメントが接続されると共に該インスツルメントの作用媒体用管路が内装されたインスツルメントホースとを備えた医療用インスツルメント装置であって、
請求項１乃至６のいずれかに記載の医療用インスツルメントホース用錘が、上記インスツルメントホースに着脱自在に嵌装されていることを特徴とする医療用インスツルメント装置。
【発明の詳細な説明】
【技術分野】
【０００１】
本発明は、医療用、特に歯科用インスツルメントホースの途中部分を下方に垂れ下げるよう重力を付与する為の歯科用インスツルメントホース用錘及びこの錘を用いた医療用インスツルメント装置に関するものである。
【背景技術】
【０００２】
歯科用の各種インスツルメント（エアタービンハンドピース、マイクロモータハンドピース、スリーウェイシリンジ等）は、各インスツルメントの作用媒体用管路を内装し、歯科診療台の近傍に配設された歯科診療用（医療用）ユニットから導出されたインスツルメントホースの先端に接続され、非使用時には、医療用ユニットの側部に設けられたインスツルメントホルダに保持された状態とされる。この保持状態では、上記インスツルメントホースは、その導出部と、ホルダによるインスツルメントの保持部との間で下方に垂れ下がった状態とされる。インスツルメントの使用時には、術者はインスツルメントホルダからインスツルメントを取出し、インスツルメントホースをも引出しながら歯科診療台上の患者の口腔内に挿入して診療処置を行う。従って、インスツルメントホースの上記垂れ下がり部分の長さは、インスツルメントを術者が把持して患者の口腔内の診療処置を円滑に行い得るに十分な長さとされる。
【０００３】
そして、上記診療作業においては、診療態様に応じて、使用中のインスツルメントをインスツルメントホルダに戻し、別のインスツルメントを取出すと言った作業が繰返される。この場合、インスツルメントがインスツルメントホルダに保持された状態においてインスツルメントホースの垂れ下がり部分が捩れていたり、インスツルメントをインスツルメントホルダに戻す際に、インスツルメントホースがインスツルメントホルダ等に突っ掛かったりすると、診療作業の円滑性が損なわれる。そこで、従来の歯科用インスルメント装置においては、インスツルメントがインスツルメントホルダに保持された状態におけるインスツルメントホースの垂れ下がり部の捩れの発生をなくし、或いは、インスツルメントをインスツルメントホルダに戻す際にインスツルメントホースを上記のような突っ掛かりを生じることなくスムースに戻すことができるように、インスツルメントホースの途中に錘を取り付け、垂れ下がり部に重力を付与することがなされている。
【０００４】
特許文献１及び特許文献２には、このような錘を備えた歯科用インスツルメント装置が開示されている。特許文献１の例では、明確な記載はないが、リング状の錘がインスツルメントホースに遊挿され、錘はインスツルメントホースに対して、自重で摺接移動が可能とされているものと想定される。また、特許文献２の例では、錘（ウエイト）はインスツルメントホース（チューブ）の途中に固定的に取付けられている。
【特許文献１】実公平３−４１７０２号公報
【特許文献２】特開平４−１９３１７４号公報
【発明の開示】
【発明が解決しようとする課題】
【０００５】
ところで、上記のような錘が設けられたインスツルメント装置において、インスツルメントを把持して診療作業を行う際、錘の重力が術者の手指にストレスとして負荷される為、このストレスの大きさによっては、術者の診療作業の円滑性を妨げたり、手指に負担をかけたりする原因ともなることがある。従って、このような作業性を勘案し、多くの術者等からの情報に基づき、経験的に錘の適正な重量設定がなされている。しかし、術者の診療作業形態や好みは区々であるため、上記重量設定は、必ずしも普遍的に適正に設定されているとは言えなかった。
【０００６】
また、座位診療の際には、患部（患者の口腔）がインスツルメントホースの導出部分から遠くなるため、インスツルメントホースを規制ガイドする為のガイド部を有さず、インスツルメントのみを保持し得るようにした所謂オープンタイプのインスツルメントホルダ（オープン／クローズの切替が可能とされたものも含む）に保持されたインスツルメントを取出し、診療に供せられるが、この場合、インスツルメントホースはインスツルメントホルダに規制されない為、錘の重量が直接術者の手指に負荷され、上記負担等が大きくなる。従って、このような診療態様の場合は、錘がないものが望まれる。
【０００７】
而して、上記特許文献１、２に開示されたインスツルメント装置の場合、錘は、各インスツルメントホースに対し取外し不可の状態で装着されているから、術者サイドにおいて、自身の使用の便なように適宜重さの錘を交換装着し或いは錘の数を変更したり、更には、取外したりすることができず、術者の多様なニーズや個々の適正な重量設定要求等に十分に応えることができなかった。
また、メンテナンス時にインスツルメントホースをアルコール等で払拭する際にも、錘を避けて払拭する必要があり、補助者にとって手間のかかる作業となっていた。
【０００８】
本発明は、上記に鑑みなされたものであり、術者の多様なニーズや診療態様に応じた適正な重量設定等が任意になし得る医療用インスツルメントホース用錘及びこれを用いた医療用インスツルメント装置を提供する点にある。
【課題を解決するための手段】
【０００９】
第１の発明に係る医療用インスツルメントホース用錘は、インスツルメントホルダを備えた医療用ユニットから導出され、先端に医療用インスツルメントが接続されると共に該インスツルメントの作用媒体用管路が内装されたインスツルメントホースに対し、上記インスツルメントが上記インスツルメントホルダに保持された状態でホースの途中部分が下方に垂れ下がるよう重力を付与する為に装着される錘であって、開環若しくは開環可能なリング状重量部材からなり、上記インスツルメントホースに対し、その側部より開環部分をして着脱自在に嵌装されるものであることを特徴とする。
【００１０】
本発明においては、前記リング状重量部材の内径がインスツルメントホースの外径より大とされ、前記嵌装状態ではインスツルメントホースに対し、自重によって摺接移動可能とされていることが望ましい。
【００１１】
また、本発明において、前記リング状重量部材をインスツルメントホースの任意の位置に係留保持する為の保持手段を更に備えているものとすることができる。この場合、前記保持手段を、前記リング状重量部材とは別部材の弾性リング部材とし、この弾性リング部材は、その内径がインスツルメントホースの外径よりやや小で且つ外径がリング状重量部材の内径よりやや大とされ、インスツルメントホースの長手方向に沿った任意の位置にその弾性変形をして係止可能とされ、上記リング状重量部材は、この保持手段による規制がない状態ではインスツルメントホースに対し自重で前記摺接移動が可能とされているものとすることができる。或いは、前記保持手段を、前記リング状重量部材の内周部分に一体に装着された高摩擦性の弾性部材からなるものとし、上記リング状重量部材が、この弾性部材の弾性変形をしてインスツルメントホースの任意の位置に嵌装保持され、弾性部材の弾力に抗したリング状重量部材の手指操作によって前記摺接移動が可能とされているものとすることもできる。
【００１２】
更に、本発明においては、上記リング状重量部材を、手指操作で変形可能な材料で構成したものとすることもできる。
【００１３】
第２の発明に係る医療用インスツルメント装置は、一側部にインスツルメントホルダを有する医療用ユニットと、該医療用ユニットから導出され、先端に医療用インスツルメントが接続されると共に該インスツルメントの作用媒体用管路が内装されたインスツルメントホースとを備えた医療用インスツルメント装置であって、上記いずれかの医療用インスツルメントホース用錘が、上記インスツルメントホースに着脱自在に嵌装されていることを特徴とする。
【発明の効果】
【００１４】
第１の発明に係る医療用インスツルメントホース用錘によれば、当該錘を構成するリング状重量部材をインスルメントホースに装着して、インスツルメントホルダにインスツルメントを保持させた状態では、この錘の作用によってインスツルメントホースの途中部分が下方に垂れ下がるよう重力が付与されるから、インスツルメントホースの垂れ下がり部分が捩れるようなことがなく、インスツルメントの取出し及びインスツルメントホースの引出しが円滑になされる。また、インスツルメントをインスツルメントホルダに戻す際には、上記重力の付与による引戻し力がインスツルメントホースに作用し、インスツルメントホルダ等に突っ掛かることなくスムースに戻すことができる。そして、当該錘が開環若しくは開環可能なリング状重量部材からなり、インスツルメントホースに対し、その側部より開環部分をして着脱自在に嵌装されているから、術者自身が、自己のインスツルメント操作や診療形態に適するように、或いは診療態様に応じた適正な重さとなるよう、適宜重さの錘を選択装着し或いは数を設定することができる。また、前記のように座位診療等において錘が不要とされる場合には、これを取外すことも任意にできる。
【００１５】
本発明において、前記リング状重量部材の内径がインスツルメントホースの外径より大とされ、前記嵌装状態ではインスツルメントホースに対し、自重で摺接移動可能とされている場合は、インスツルメントをインスツルメントホルダに保持した状態或いはインスツルメントホルダに戻す際に、当該錘が自重によって常にインスツルメントホースの垂れ下がり湾曲部分の最下点に位置し、前記インスツルメントホースの捩れの発生抑止及びスムースな引出し・引戻しが効果的になされる。
【００１６】
また、前記保持手段をしてリング状重量部材をインスツルメントホースの任意の位置に係留保持するようにすれば、インスツルメントを取り扱う術者の診療作業形態や好みに応じた適正な重力がインスツルメントホースに付与されるよう、インスツルメントホースに対するリング状重量部材の係留保持位置の調整が任意になし得る。
【００１７】
上記保持手段を設ける場合において、この保持手段を前記のようなリング状重量部材とは別部材の弾性リング部材からなるものとすれば、リング状重量部材の係留保持位置の調整が任意になし得ると共に、保持手段による規制がない状態ではインスツルメントホースに対し自重で前記摺接移動が可能とされているから、インスツルメントの繰出し位置に応じたインスツルメントホースに対する重力付与が的確になされる。或いは、上記保持手段を、リング状重量部材の内周部分に一体に装着された高摩擦性の弾性部材からなるものとすれば、この弾性部材の弾力に抗したリング状重量部材の手指操作によって、インスツルメントホースに対する摺接移動が可能とされるから、各インスツルメント毎に術者の診療作業形態や好みに応じた適正な重力がインスツルメントホースに付与されるよう、リング状重量部材のインスツルメントホースに対する保持位置の調整を行うことができる。
【００１８】
更に、リング状重量部材を、手指操作で変形可能な材料で構成すれば、このリング状重量部材を手指で押し広げて開環し、インスツルメントホースに側部より装着し、閉環するよう変形操作することにより簡易にインスツルメントホースに嵌装させることができる。
【００１９】
第２の発明に係る医療用インスツルメント装置は、上記いずれかの錘がインスツルメントホースに着脱自在に嵌装されているから、インスツルメントを取扱う術者の診療形態や好みに応じて、インスツルメントホースに適正な重力が付与され、円滑な診療作業が可能となり、診療作業の効率化が図られる。また、診療態様によって、錘が不要とされる場合は、簡易に取外すことができる。
さらに、錘を簡易に取外すことができるので、メンテナンスを行う際にも手間を掛けずにインスルルメントホースをアルコール等で払拭することができる。
【発明を実施するための最良の形態】
【００２０】
以下、本発明の最良の形態について図面に基づき説明する。図１は本発明の医療用インスツルメント装置の一実施形態を示す概略的斜視図、図２は同医療用インスツルメント装置の概略的側面断面図、図３（ａ）は同実施形態におけるインスツルメントホースにインスツルメントホース用錘が装着された状態を示す横断面図、図３（ｂ）は図３（ａ）におけるＡ−Ａ線断面図、図４（ａ）は同実施形態におけるインスツルメントホースに別例のインスツルメントホース用錘が装着された状態を示す横断面図、図４（ｂ）は図４（ａ）におけるＢ−Ｂ線断面図、図５〜図７は保持手段を備えた各種インスツルメントホース用錘の使用例を示す図、図８は他の実施形態のインスツルメントホース用錘をインスツルメントホースに装着した状態を示す横断面図である。
【００２１】
図１は歯科用診療装置を概略的に示すもので、歯科用診療台１と、該歯科用診療台１の側部に配設された本発明の一実施形態としての歯科用（医療用）インスツルメント装置２と、術者が着座する術者用椅子３とが図示されているが、歯科診療に必要な他の備品、装置等が診療台の近傍に配設されることは言うまでもない。歯科用診療台１は、基台１ａに対して昇降自在な座板１ｂと、該座板の一端に起伏自在に連設された背板１ｃと、背板１ｃの上端に傾動自在に取付けられたヘッドレスト１ｄとより構成され、仰臥診療及び座位診療が可能とされている。
【００２２】
歯科用インスツルメント装置２は、図１及び図２に示すように、一側部にインスツルメントホルダ７を有する歯科診療用（医療用）ユニット４と、この歯科診療用ユニット４の下面から導出され、先端に歯科用（医療用）インスツルメント５が接続されると共に該インスツルメント５の作用媒体用管路６ａ〜６ｅ（図３、４、８参照）が内装されたインスツルメントホース６とを備えている。歯科診療用ユニット４は、診療台１の側部に取付けられたハンガーアーム（不図示）に支持されたトレーテーブル、或いはキャスター（不図示）付きの移動テーブルからなり、術者用椅子３に着座した術者の手が届く範囲に移動可能とされている。この歯科診療用ユニット４上には、図示しない薬品トレーや器具トレー、更にはカウンセリング用診断画像やカルテ内容等が写し出されるディスプレイ装置等が設置される。
【００２３】
歯科用インスツルメント５は、マイクロモータハンドピース、エアタービンハンドピース、バキュームシリンジ、スリーウェイシリンジ、スケーラ、サライバエジェクタ等、歯科診療に用いられる公知のインスツルメントからなり、インスツルメントホース６の先端に着脱自在に接続されている。インスツルメントホース６は接続されるインスツルメント５の種類に応じた作用媒体用管路６ａ〜６ｅを内装し、歯科診療用ユニット４の下面より導出されている。作用媒体用管路６ａ〜６ｅは、歯科診療台の近傍に設置された不図示の作用媒体供給元或いは排出先に接続されている。
【００２４】
インスツルメント５は、非使用時には図１、図２に示すように、インスツルメントホルダ７に保持される。インスツルメントホルダ７は、インスツルメント５を挿通し得る傾斜した円筒状保持部７ａと、この円筒状保持部７ａの下側部に形成された切欠開口部７ｂと、切欠開口部７ｂの開口壁部間に配設されたガイドローラ７ｃとにより構成される。切欠開口部７ｂの幅はインスツルメント５の径より小さくインスツルメントホース６の径より大とされている。ガイドローラ７ｃは切欠開口部７ｂの幅内に架設されるよう設けられるが、切欠開口部７ｂの開口壁部に進退可能に取付けられ、不図示の切替え操作手段によって、この開口壁部に退入せることによって、所謂オープンタイプに切替え可能とすることもできる。円筒状保持部７ａの底部には内向鍔部７ｄが設けられ、インスツルメント５の抜け落ちを防止するようになされている。
【００２５】
インスツルメント５が上記インスツルメントホルダ７に保持された状態では、インスツルメントホース６は、インスツルメントホースの導出部４ａ及びインスツルメントホルダ７間で歯科診療用ユニット４の下方に大きく垂れ下がった状態とされる。この垂れ下がりを付勢する為、後記するインスツルメントホース用錘８がインスツルメントホース６の途中部分に嵌装されている。インスツルメント５を使用する際は、インスツルメントホルダ７よりインスツルメント５を取出し、インスツルメントホース６をガイドローラ７ｃに摺接させながら、図１の２点鎖線で示すように、診療台１のヘッドレスト１ｄの近傍にまで引出す。インスツルメントホルダ７をオープン状態とする時は、ガイドローラ７ｃを切欠開口部７ｂの開口壁部内に退入させ、インスツルメントホース６をインスツルメントホルダ７の円筒状保持部７ａから離反させその規制を受けない状態で使用される。
【００２６】
図１及び図２では、上記インスルメントホース用錘８として、インスルメントホース６に対して自重でその長手方向に沿って摺接移動可能とされたものが示されている。即ち、インスツルメント５の保持状態から取出し状態或いは取出し状態から保持状態への移行過程、更には診療作業時でのインスツルメント５の動作状態に応じて上記垂れ下がり部分の長さが変化する場合でも、その変化に応じて常に垂れ下がり湾曲部分の最下点にインスルメントホース用錘８が自重で摺接移動する。これによって、垂れ下がり部分が捩れたり、インスツルメントホルダ７にインスツルメントホース６が突っ掛かったりすることがなく、円滑に診療作業を実施することができる。
【００２７】
次に、インスツルメントホース用錘８の種々の形態について説明する。図３（ａ）（ｂ）は、細いインスツルメントホース６に嵌装されるインスツルメントホース用錘８の例を示している。インスツルメントホース６は、ゴム材からなり、図例では作用媒体用管路として給気管路６ａ、注水管路６ｂ及び電線６ｃが内装されている。インスツルメントホース用錘８は、金属製の開環リング状重量部材８０からなる。この開環リング状重量部材８０の内径はインスツルメントホース６の外径よりやや大とされ、また、開環リング状重量部材８０の開環部８０ａの開口幅は、インスツルメントホース６の外径より小とされている。この開環リング状重量部材８０をインスツルメントホース６に装着するには、インスツルメントホース６の側部に上記開環部８０ａを宛がい、インスツルメントホース６を弾性変形させて開環部８０ａよりその内周部内にインスツルメントホース６を圧入嵌装させる。この開環部８０ａへの圧入をし易くする為、その入口部分８０ｂには面取加工が施されている。
【００２８】
上記開環リング状重量部材８０の断面形状は、インスツルメントホース６との摺動性を良くする為、図例のような長円形、楕円形、円形或いは面取り加工された角形とされる。また、その内周面は、インスツルメントホース６との摺動性を更に良くする為にフッ素コーティング等の表面処理がなされることが望ましい。インスツルメントホース６の表面に同様の表面処理を施しておけば、上記摺動性がより向上する。
【００２９】
この実施形態のインスツルメントホース用錘８を装着したインスツルメント装置の図１及び図２に示すような使用状態においては、上記のように開環リング状重量部材８０の内径がインスツルメントホース６の外径より大とされているから、インスツルメント５の繰り出し状態に応じて、インスツルメントホース用錘８がインスツルメントホース６に対して自重で摺動移動し、常に垂れ下がり湾曲部分の最下点に位置し、インスツルメント５の取扱いの円滑性が図られる。開環リング状重量部材８０のインスツルメントホース６に対する嵌装状態では、その重量バランスの関係で、開環部８０ａと内周部とのコーナ部８０ｃでインスツルメントホース６に担持されることになるから、接触面積が小さく、上記摺動移動を図る上で有効である。
【００３０】
図４（ａ）（ｂ）に示す例は、太いインスツルメントホース６に嵌装されるインスツルメントホース用錘８の例を示している。図例のインスツルメントホース６は、作用媒体用管路として給気管路６ａ、注水管路６ｂ、２本の電線６ｃ及び排気管路６ｅが内装されている。インスツルメントホース用錘８を構成する金属製の開環リング状重量部材８０がインスツルメントホース６に合わせて大きなものが採用され、また、断面形状が若干図３のものと異なるだけで、その他の構成は上記と同様であるので、共通部分に同一の符号を付しその説明を割愛する。
【００３１】
図３及び図４に示すインスツルメントホース用錘８は、インスツルメントホース６の側部より着脱自在に装着されるから、各種重さ・大きさのものを複数準備しておき、術者の好みや診療形態に応じて適正なインスツルメントホース用錘８を適宜選択装着することが簡易になし得る。また、座位診療のようにインスツルメントホルダ７をオープン状態で使用する時には、インスツルメントホース用錘８を取外して、そのような診療態様に簡易且つ適正に対応することができる。
【００３２】
図５及び図６は、インスツルメントホース用錘８が、上記と同様の開環リング状重量部材８０と、該リング状重量部材８０をインスツルメントホース６の任意の位置に係留保持する為の保持手段としての弾性リング部材８１とが組合わさって構成されている例を示している。弾性リング部材８１は、例えば、ゴム製Ｏリングからなり、その内径がインスツルメントホース６の外径よりやや小で且つ外径がリング状重量部材８０の内径よりやや大とされている。弾性リング部材８１は、インスツルメントホース６の周体に弾性嵌装され、手指操作によってインスツルメントホース６の長手方向の任意の位置に係止可能とされている。
【００３３】
このように開環リング状重量部材８０と、弾性リング部材８１とが組合わさったインスツルメントホース用錘８は、例えば、インスツルメントホース６の垂れ下がり湾曲部の最下点から導出部４ａ側に寄った位置に弾性リング部材８１を弾性嵌装係止させ、この弾性リング部材８１より導出部４ａ側に開環リング状重量部材８０を嵌装して使用される。図１、図２のように開環リング状重量部材８０を単独でインスツルメントホース用錘８として使用した場合に、インスツルメントホース用錘８が自重で摺接移動して常に垂れ下がり湾曲部の最下点に位置するが、この場合、インスツルメント５の取出しの際に抵抗が大きく、術者の手指にかかる負担が大きく感じられることがある。このような場合、弾性リング部材８１を上記のような位置に嵌装係止させ、開環リング状重量部材８０の湾曲部の最下点への自重による摺接移動を弾性リング部材８１によって阻止するようにしておけば、上記インスツルメント５の取出しの際の負担を軽減させることができる。
【００３４】
また、インスツルメントホース６を、弾性リング部材８１がインスツルメントホルダ７を通過する程度にまで引出して診療作業を行うようにすれば、弾性リング部材８１がインスツルメントホルダ７の円筒状保持部７ａの開口縁部に係止保持される。この時、インスツルメントホルダ７と導出部４ａとの間にインスツルメントホース６の垂れ下がり小湾曲部が形成され、開環リング状重量部材８０は弾性リング部材８１の規制がかからなくなるから、小湾曲部の最下点に摺接移動するが、弾性リング部材８１がインスツルメントホルダ７の円筒状保持部７ａの開口縁部に係止保持されることにより、インスツルメント５の操作時における開環リング状重量部材８０の重量による術者の手指にかかる負担が軽減される。弾性リング部材８１の嵌装係止位置の調整は手指操作によってなされ、インスツルメント５の操作性等を勘案した開環リング状重量部材８０の保持位置の設定は簡易になし得る。
【００３５】
図６の例では、開環リング状重量部材８０の内周部分に、弾性リング部材８１を受容し得る凹段部８０ｄが形成されており、この凹段部８０ｄにより、開環リング状重量部材８０の保持が安定化される。これら弾性リング部材８１の断面形状は図例のような円形に限らず、楕円形、角形であっても良い。また、弾性リング部材８１をインスツルメントホース６の長手方向複数箇所に嵌装係止させておき、これらの弾性リング部材８１のいずれかに開環リング状重量部材８０を選択的に保持させるようになすことも可能である。
【００３６】
図７は、インスツルメントホース用錘８が、上記と同様の開環リング状重量部材８０と、該リング状重量部材８０の内周部分に半埋設状態で一体に装着されたゴム材等による高摩擦性の弾性部材８２からなり、この弾性部材８２がリング状重量部材８０をインスツルメントホース６の任意の位置に係留保持する為の保持手段とされている。リング状重量部材８０は、この弾性部材８２の弾性変形をしてインスツルメントホース６の任意の位置に嵌装保持され、弾性部材８２の弾力に抗したリング状重量部材の手指操作によってインスツルメントホース６の長手方向に沿った摺接移動が可能とされている。
【００３７】
この例では、インスツルメントホース用錘８の自重での摺接移動は不可であるが、手指操作によって摺接移動が可能とされるから、インスツルメント５の操作性等を勘案したインスツルメントホース用錘８のインスツルメントホース６の長手方向に沿った適正保持位置の設定を任意に行うことができる。図例では、複数個の弾性部材８２がリング状重量部材８０の内周部分に周方向に沿って隔設装着した例を示しているが、これらが一連状にリング状重量部材８０の内周部分に沿って装着されているものであっても良い。
【００３８】
図８は、インスツルメントホース用錘８が、手指操作で変形可能な材料で構成されたリング状重量部材８０からなる例を示している。このリング状重量部材８０は、変形可能な帯状芯金部８０Ａと、この芯金部８０Ａの周囲を覆って一体とされたゴム部８０Ｂとよりなり、直状体を開環可能なリング状に形成したものである。このリング状重量部材８０のインスツルメントホース６に対する装着は、図８の２点鎖線のように手指で押し広げて開環させ、その開環部分８０ａを、インスツルメントホース６の側部に宛がい挿入し、開環部分８０ａを図の実線のように閉じることによりなされる。開環部分８０ａは図のように閉止しても良いが、若干の隙間を設けておいても良い。この例のインスツルメントホース用錘８は、手指操作をして変形させることによって、インスツルメントホース６に装着されるから、操作が簡単であり、圧入する場合に比べ、インスツルメントホース６の表面を傷つけることが少ないというメリットも付加される。インスツルメントホース６の構成等は、図４に示す例と同様であるので、共通部分に同一の符号を付し、その説明を割愛する。
【００３９】
尚、図例では、各インスツルメントホース６にインスツルメントホース用錘８を１個宛装着した例を示したが、インスツルメント５の操作性や引戻し時の円滑性を勘案して、複数個を装着することも可能である。また、インスツルメントホルダ７の形状は、図例のものに限定されず、公知のものも採用可能である。更に、歯科用のインスツルメント装置を例に採って述べたが、耳鼻科用や、その他の医療用インスツルメント装置にも本発明を適用することができる。
【図面の簡単な説明】
【００４０】
【図１】本発明の医療用インスツルメント装置の一実施形態を示す概略的斜視図である。
【図２】同医療用インスツルメント装置の概略的側面断面図である。
【図３】（ａ）は同実施形態におけるインスツルメントホースにインスツルメントホース用錘が装着された状態を示す横断面図、（ｂ）は（ａ）におけるＡ−Ａ線断面図である。
【図４】（ａ）は同実施形態におけるインスツルメントホースに別例のインスツルメントホース用錘が装着された状態を示す横断面図、（ｂ）は（ａ）におけるＢ−Ｂ線断面図である。
【図５】保持手段を備えたインスツルメントホース用錘の使用例を示す図である。
【図６】別形態の保持手段を備えたインスツルメントホース用錘の使用例を示す図である。
【図７】更に別形態の保持手段を備えたインスツルメントホース用錘の使用例を示す図である。
【図８】他の実施形態のインスツルメントホース用錘をインスツルメントホースに装着した状態を示す横断面図である。
【符号の説明】
【００４１】
２              歯科用（医療用）インスツルメント装置
４              歯科診療用（医療用）ユニット
５              歯科用（医療用）インスツルメント
６              インスツルメントホース
６ａ〜６ｅ      作用媒体用管路
７              インスツルメントホルダ
８              インスツルメントホース用錘
８０            リング状重量部材
８０ａ          開環部分
８１            弾性リング部材（保持部材）
８２            弾性部材（保持部材）
【図１】
2007296010.tif 000003
【図２】
2007296010.tif 000004
【図３】
2007296010.tif 000005
【図４】
2007296010.tif 000006
【図５】
2007296010.tif 000007
【図６】
2007296010.tif 000008
【図７】
2007296010.tif 000009
【図８】
2007296010.tif 000010